【手続補正書】
【提出日】平成16年2月10日(2004.2.10)
【手続補正１】
【補正対象書類名】明細書
【補正対象項目名】発明の名称
【補正方法】変更
【補正の内容】
発明の名称を「流入溝清掃装置」から「スカム掻寄装置」に補正する。


【手続補正２】
【補正対象書類名】明細書
【補正対象項目名】全文
【補正方法】変更
【補正の内容】
【発明の名称】スカム掻寄装置
【特許請求の範囲】
【請求項１】池底で進退駆動され沈澱した汚泥を掻き寄せるスクレーパつきの汚泥掻寄装置を有す矩形の沈澱池内の水面を介して設置されて同沈澱池内で浮遊するスカムを導入して排除可能に構成されたスカム除去装置に対し浮遊するスカムを掻寄運動をするスカム掻寄装置であって、各池側壁に沿って設けられたレールと、これらレール間に横架されて前後に進退自在とされたフレームと、同フレームに設けられ水面のスカムをスカム除去装置の方向に掻き寄せる掻寄手段と、前記フレームに設けられ同フレームを前記レールに沿った運動によりスカム除去装置の方向へ前進させる一方逆方向へ後退運動させる動力を発生させる太陽発電装置とを備えたスカム掻寄装置。
【発明の詳細な説明】
【０００１】
【発明の属する技術分野】
この発明は、矩形の沈澱池を対象としたスカム掻寄装置に関する。
【０００２】
【従来の技術】
矩形沈澱池では池幅方向に対向する池側壁を有し、その池底には、沈澱した汚泥をピットの方向に掻き寄せ運動するスクレーパつきの汚泥掻寄装置が設けられたものがある。
池水面には、水面に浮遊するスカムを掻き寄せ処理するため、スカム除去装置と同装置に向けてスカムを掻き寄せるスカム掻寄装置がセットで設置されている。
【０００３】
【発明が解決しようとする課題】
ところで、前記スカム掻寄装置は、池側壁にレールを備え、これらレール間にフレームを横架して進退駆動するようにし、同フレームに水面のスカムを掻き寄せる掻寄手段を装備したものが一般的であるが、スカム掻寄装置を駆動する駆動源はフレームに搭載されるものの、その配電は、沈澱池外と駆動源との間に伸展自在に架設されたケーブルによりなされるものが一般的であった。しかし、こうした方式であると配電構成が全池を対象とするものであることから極めて煩雑化することになっていた。
【０００４】
この発明は前記課題を解決するためになされたもので、池に横架されたフレームを進退駆動するための動力を発生する電力を太陽発電装置とするだけでなく同太陽発電装置をフレームそれ自体に搭載装備することで配電構成を極く簡略化することができるようにしたスカム掻寄装置を提供することを目的とする。
【０００５】
【課題を解決するための手段】
前記課題を解決するため、請求項１記載の発明は、池底で進退駆動され沈澱した汚泥を掻き寄せるスクレーパつきの汚泥掻寄装置を有す矩形の沈澱池内の水面を介して設置されて同沈澱池内で浮遊するスカムを導入して排除可能に構成されたスカム除去装置に対し浮遊するスカムを掻寄運動をするスカム掻寄装置であって、各池側壁に沿って設けられたレールと、これらレール間に横架されて前後に進退自在とされたフレームと、同フレームに設けられ水面のスカムをスカム除去装置の方向に掻き寄せる掻寄手段と、前記フレームに設けられ同フレームを前記レールに沿った運動によりスカム除去装置の方向へ前進させる一方逆方向へ後退運動させる動力を発生させる太陽発電装置とを備えている。
【０００６】
【発明の実施の形態】
以下、図示した実施形態を参照してこの発明を詳細に説明する。
図１は、本発明に係るスカム掻寄装置の一実施形態を示す。図１は沈澱池２００を上からみた様子をあらわしており、同沈澱池２００内の流れ方向下流側には前記した越流堰装置２０１が複数配列されている。この池の上流側には、その水面を介してスカム除去装置２０２が設置されている。
【０００７】
同除去装置２０２は、固定のトラフ２０３の前側に浮沈自在な堰２０４を備えたもので、同堰２０４は駆動手段により上下する。池底にはガイドレール２０５がその幅間中央に固定され、同レール２０５に沿ってスクレーパ２０６つきの機体２０７である汚泥掻寄装置が往復走行し、これにより、沈澱汚泥が左方向に掻き寄せられる。
【０００８】
こうしたものにおいて、水面にはスカムが浮遊し、これを除去装置２０２まで確実に送り込む装置が同図に平面図として示されている。スカム掻寄装置２１０は、池側壁２１１に設けられたレール２１２間に横架されて走行ローラー２１６を介して前後に進退自在なフレーム２１３と、同フレーム２１３の一側に昇降シリンダ等により起倒自在にしたブラシつきの掻寄手段２１４とを備えている。
【０００９】
フレーム２１３は太陽発電装置２１５からの動力で矢印方向に前進し、このとき掻寄手段２１４は垂直な掻寄姿勢にあり、スカムを除去装置２０２迄掻き寄せる。前進端で掻寄手段２１４は持ち上がり、フレーム２１３と共に後退する。この際、スカムの戻し作用はない。
【００１０】
【発明の効果】
この発明によれば、煩雑化しがちな配電構成を極く簡略化することができる。
【図面の簡単な説明】
【図１】この発明の一実施例を示す沈澱池平面図。
【符号の説明】
２００…沈澱池  ２０１…越流堰装置  ２０２…スカム除去装置  ２０３…トラフ  ２０４…堰  ２０５…ガイドレール  ２０６…スクレーパ  ２０７…機体  ２１０…スカム掻寄装置  ２１１…池側壁  ２１２レール  ２１３…フレーム  ２１４…掻寄手段  ２１５…太陽発発電装置
【手続補正３】
【補正対象書類名】図面
【補正対象項目名】図１
【補正方法】変更
【補正の内容】
【図１】
1999117266.tif 000001
【手続補正４】
【補正対象書類名】図面
【補正対象項目名】図２
【補正方法】削除
【補正の内容】
【手続補正５】
【補正対象書類名】図面
【補正対象項目名】図３
【補正方法】削除
【補正の内容】
【手続補正６】
【補正対象書類名】図面
【補正対象項目名】図４
【補正方法】削除
【補正の内容】
【手続補正７】
【補正対象書類名】図面
【補正対象項目名】図５
【補正方法】削除
【補正の内容】
【手続補正８】
【補正対象書類名】図面
【補正対象項目名】図６
【補正方法】削除
【補正の内容】
【手続補正９】
【補正対象書類名】図面
【補正対象項目名】図７
【補正方法】削除
【補正の内容】
【手続補正１０】
【補正対象書類名】図面
【補正対象項目名】図８
【補正方法】削除
【補正の内容】
【手続補正１１】
【補正対象書類名】図面
【補正対象項目名】図９
【補正方法】削除
【補正の内容】
【手続補正１２】
【補正対象書類名】図面
【補正対象項目名】図１０
【補正方法】削除
【補正の内容】
【手続補正１３】
【補正対象書類名】図面
【補正対象項目名】図１１
【補正方法】削除
【補正の内容】
【手続補正１４】
【補正対象書類名】図面
【補正対象項目名】図１２
【補正方法】削除
【補正の内容】
【手続補正１５】
【補正対象書類名】図面
【補正対象項目名】図１３
【補正方法】削除
【補正の内容】
【手続補正１６】
【補正対象書類名】図面
【補正対象項目名】図１４
【補正方法】削除
【補正の内容】
【手続補正１７】
【補正対象書類名】図面
【補正対象項目名】図１５
【補正方法】削除
【補正の内容】
【手続補正１８】
【補正対象書類名】図面
【補正対象項目名】図１６
【補正方法】削除
【補正の内容】
【手続補正１９】
【補正対象書類名】図面
【補正対象項目名】図１７
【補正方法】削除
【補正の内容】